(57)【要約】手持ち式ヘアスタイリングデバイスは、髪へのカールの精密な導入を可能にする。選択的に作動可能な駆動システムは、１つ以上の回転可能基部を回転駆動し、各回転可能基部は、その上にヘアスタイリング要素を支える。駆動システムは、１つの方向におけるアクチュエータの移動を第１の方向における回転可能基部の回転に伝達する、アクチュエータを回転可能基部に接続する変速機を含む。変速機は、反対方向におけるアクチュエータの移動に応じて第１の方向と反対の第２の方向における回転可能基部の回転を防止するように構成される。別の態様では、変速機は、第１の方向におけるアクチュエータの移動に応じて回転可能基部の１回の３６０度回転を生じるように構成される。【選択図】なし
2020522283.tif 000002
【特許請求の範囲】
【請求項１】
手持ち式ヘアスタイリングデバイスであって、
本体と、
回転軸を中心に前記本体に対して回転するように前記本体上に装着された回転可能基部であって、前記回転可能基部は前記本体からほぼ離れるように対面する露出表面を有し、前記回転可能基部の前記回転軸は前記本体の縦軸に実質的に垂直に延在する、前記回転可能基部と、
前記回転可能基部に連れた前記本体に対する回転に供されるように前記回転可能基部の前記露出表面上に装着されたヘアスタイリング要素であって、前記本体からほぼ離れるように延在する、前記ヘアスタイリング要素と、
前記本体に対して前記回転可能基部を回転駆動する選択的に作動可能な駆動システムであって、前記駆動システムは、第１の位置と第２の位置との間で移動して前記回転可能基部の回転を作動させるように前記本体によって支持されたアクチュエータと、前記第１の位置から前記第２の位置までの前記アクチュエータの移動を第１の方向における前記回転可能基部の回転に伝達するように前記アクチュエータを前記回転可能基部に接続する変速機とを含み、前記変速機は、前記第２の位置から前記第１の位置までの前記アクチュエータの移動に応じて、前記第１の方向と反対の第２の方向における前記回転可能基部の回転を防止するように構成されている、前記選択的に作動可能な駆動システムと、
を備える、前記手持ち式ヘアスタイリングデバイス。
【請求項２】
前記変速機は、前記回転可能基部を回転駆動する前記第１の位置から前記第２の位置までの前記アクチュエータの移動に応じて前記回転可能基部に係合するように機能し、かつ前記第２の位置から前記第１の位置までの前記アクチュエータの移動に応じて前記回転可能基部から係脱するように機能する、方向性駆動部材を備える、請求項１に記載の手持ち式ヘアスタイリングデバイス。
【請求項３】
前記方向性駆動部材は、前記回転可能基部に係合するように機能する駆動位置と、前記回転可能基部から係脱するように機能するアイドリング位置との間で、前記本体上で移動するように前記本体によって支持されている、請求項２に記載の手持ち式ヘアスタイリングデバイス。
【請求項４】
前記方向性駆動部材は、さらに、前記本体に対して回転するように前記本体によって支持されている、請求項３に記載の手持ち式ヘアスタイリングデバイス。
【請求項５】
前記方向性駆動部材は、方向性駆動ギヤ及びシャフトを備え、前記シャフトは、前記本体に対して回転運動及び摺動運動するように前記本体上に装着されている、請求項４に記載の手持ち式ヘアスタイリングデバイス。
【請求項６】
前記本体はチャネルを画定し、前記チャネルは、前記チャネル内で回転するとともに前記チャネル内で移動する、前記駆動部材の前記シャフトを内側に受容する請求項５に記載の手持ち式ヘアスタイリングデバイス。
【請求項７】
前記変速機は、前記アクチュエータに接続されるように機能するメインギヤをさらに備え、これにより、前記第１の位置から前記第２の位置までの前記アクチュエータの移動は、動作モードでの前記メインギヤの回転を生じさせ、前記第２の位置から前記第１の位置までの前記アクチュエータの移動は、前記動作モードと対照的なアイドリングモードでの前記メインギヤの回転を生じさせる、請求項６に記載の手持ち式ヘアスタイリングデバイス。
【請求項８】
前記変速機は、前記回転可能基部と共同回転するように、前記回転可能基部上に装着されたベースギヤをさら備える、請求項７に記載の手持ち式ヘアスタイリングデバイス。
【請求項９】
前記方向性駆動ギヤは、前記動作モードで、かつ前記アイドリングモードで、前記メインギヤに係合するように機能する、請求項８に記載の手持ち式ヘアスタイリングデバイス。
【請求項１０】
前記動作モードでの前記メインギヤの前記回転は、前記チャネル内の前記駆動ギヤの前記シャフトを、前記駆動ギヤが前記ベースギヤと噛合して前記回転可能基部を回転駆動する位置まで移動させる、請求項９に記載の手持ち式ヘアスタイリングデバイス。
【請求項１１】
前記アイドリングモードでの前記メインギヤの回転は、前記チャネル内の前記駆動ギヤの前記シャフトを前記ベースギヤから離れるように移動させ、それによって、前記アイドリングモードでの前記メインギヤの回転は、前記ベースギヤに伝達される、請求項１０に記載の手持ち式ヘアスタイリングデバイス。
【請求項１２】
前記チャネルは、楕円状である、請求項１１に記載の手持ち式ヘアスタイリングデバイス。
【請求項１３】
前記第１の位置に向かって前記アクチュエータを付勢するばねをさら備え、それによって、前記第２の位置で前記アクチュエータが解放されると、前記アクチュエータは、前記第１の位置まで戻るように自動的に移動する、請求項１に記載の手持ち式ヘアスタイリングデバイス。
【請求項１４】
前記本体に対して回転するように前記本体上に装着された複数の回転可能基部をさらに備え、前記回転可能基部は、一斉に回転するように接続されるように機能する、請求項１に記載の手持ち式ヘアスタイリングデバイス。
【請求項１５】
手持ち式ヘアスタイリングデバイスであって、
本体と、
回転軸を中心に前記本体に対して回転するように前記本体上に装着された回転可能基部であって、前記回転可能基部は前記本体からほぼ離れるように対面する露出表面を有し、前記回転可能基部の前記回転軸は前記本体の縦軸に実質的に垂直に延在する、前記回転可能基部と、
前記回転可能基部に連れた前記本体に対する回転に供されるように前記回転可能基部の前記露出表面上に装着された少なくとも１つのヘアスタイリング要素であって、前記本体からほぼ離れるように延在する、前記少なくとも１つのヘアスタイリング要素と、
前記本体に対して前記回転可能基部を回転駆動する選択的に作動可能な駆動システムであって、前記駆動システムは、２つの位置の間で移動して前記回転可能基部を回転作動させるように前記本体によって支持されたアクチュエータと、第１の位置から第２の位置までの前記アクチュエータの前記移動を第１の方向における前記回転可能基部の回転に伝達するように前記アクチュエータを前記回転可能基部に接続する変速機とを含み、前記変速機は、前記アクチュエータが前記第１の位置から前記第２の位置まで移動すると前記回転軸を中心とする前記回転可能基部の１回の３６０度回転を生じるように構成されている、前記選択的に作動可能な駆動システムと、
を備える、前記手持ち式ヘアスタイリングデバイス。
【請求項１６】
前記変速機は、前記第２の位置から前記第１の位置までの前記アクチュエータの移動を、前記回転可能基部の前記１回の３６０度回転に変換するように選択される伝達ギヤを備える、請求項１５に記載の手持ち式ヘアスタイリングデバイス。
【請求項１７】
前記伝達ギヤは、第１の駆動ギヤと、前記第１の駆動ギヤよりも大きい径を有する第２の駆動ギヤと、アイドラギヤと、前記回転可能基部と共同回転するように前記回転可能基部上に装着されたベースギヤとを含む、請求項１６に記載の手持ち式ヘアスタイリングデバイス。
【請求項１８】
前記アクチュエータは第１の駆動ギヤを係動させ、第２の駆動ギヤは前記第１の駆動ギヤと共同回転するように前記第１の駆動ギヤに接続されている、請求項１７に記載の手持ち式ヘアスタイリングデバイス。
【請求項１９】
前記アイドラギヤは、前記第１の位置から前記第２の位置までの前記アクチュエータの移動に応じて前記ベースギヤと噛合するように装着されており、前記第２の位置から前記第１の位置までの前記アクチュエータの移動に応じて前記ベースギヤとの噛合係合しない、請求項１８に記載の手持ち式ヘアスタイリングデバイス。
【請求項２０】
複数の回転可能基部をさらに備え、前記伝達ギヤは、前記回転可能基部のそれぞれの上のベースギヤと、前記回転可能基部のうちの２つの隣接する基部のそれぞれの間に位置する介在ギヤとをさらに含み、前記介在ギヤは、前記回転可能基部の全てが前記第１の位置から前記第２の位置までの前記アクチュエータの移動に応じて同じ方向に回転するように、動作可能である、請求項１５に記載の手持ち式ヘアスタイリングデバイス。
【発明の詳細な説明】
【技術分野】
【０００１】
本発明は、概して、ヘアブラシ及びくし等の手持ち式ヘアスタイリングデバイスに関し、より具体的には、人の髪にカールを付与するために使用される手持ち式ヘアスタイリングデバイスに関する。
【背景技術】
【０００２】
従来の手持ち式ヘアブラシは、本体と、本体から延在するハンドルとを有する。剛毛または歯等の複数のヘアスタイリング要素は、ブラシの本体から離れるように延在する。この従来のブラシを使用するために、人は、手にハンドルを保持し、ブラシを動かし、それにより、ヘアスタイリング要素は人の頭部上の髪を通過する。
【０００３】
くしは、ブラシに類似する。くし上のヘアスタイリング要素は、通常、ブラシ上のヘアスタイリング要素よりも更に狭い構成（例えば、単列の歯、または少数の接近し離間している平行列の歯）で配列される。しかしながら、くしと見なされるデバイスとブラシと見なされるデバイスとの間の境界が存在しない。くし及びブラシの両方は、ユーザが本体から延在する複数のヘアスタイリング要素を支える本体を移動させることを可能にすることによって機能し、これにより、ヘアスタイリング要素は人の頭部上の髪を通って移動する。
【０００４】
最も一般的なブラシ及びくしのスタイリング要素は、それらを支える本体に対して移動しない。
【発明の概要】
【０００５】
本発明の一態様は、幅広側の面の対向する面上において、一対の幅狭側の面の間に幅広側の面を有する本体を備える、手持ち式ヘアスタイリングデバイスである。本体の幅広側の面は、本体の幅狭側の面よりも広い幅を有する。回転可能基部が、回転軸を中心に本体に対して回転するように、本体上の幅狭側の面の間に装着されている。回転可能基部は、本体からほぼ離れるように対面する露出表面を有する。回転可能基部の回転軸は、本体の縦軸に実質的に垂直に延在する。複数のヘアスタイリング要素が、回転可能基部に連れた本体に対する回転に供されるように、回転可能基部の露出表面上に装着されている。複数のヘアスタイリング要素は、本体からほぼ離れるように延在する。
【０００６】
本発明の別の態様は、幅広側の面の対向する面上において、一対の幅狭側の面の間に幅広側の面を有する本体を有する、手持ち式ヘアスタイリングデバイスである。本体の幅広側の面は、本体の幅狭側の面よりも広い幅を有する。複数の回転可能基部が、回転軸を中心に本体に対して回転するように、本体上の幅狭側の面の間に装着されている。回転可能基部のそれぞれは、本体からほぼ離れるように対面する露出表面を有する。複数のヘアスタイリング要素が、各々の回転可能基部に連れた本体に対する回転に供されるように、回転可能基部のそれぞれの露出表面上に装着されている。複数のヘアスタイリング要素は、本体からほぼ離れるように延在する。ハンドルは、回転可能基部の少なくとも１つの回転軸に実質的に垂直である方向に、本体から延在する。
【０００７】
本発明のさらに別の態様は、幅広側の面の対向する面上において、一対の幅狭側の面の間に幅広側の面を有する本体を有する、手持ち式ヘアスタイリングデバイスである。本体の幅広側の面は、本体の幅狭側の面よりも広い幅を有する。複数の回転可能基部が、回転軸を中心に本体に対して回転するように、本体上の幅狭側の面の間に装着されている。回転可能基部のそれぞれは、本体からほぼ離れるように対面する露出表面を有する。複数のヘアスタイリング要素が、各々の回転可能基部に連れた本体に対する回転に供されるように、回転可能基部のそれぞれの露出表面上に装着されている。複数のヘアスタイリング要素は、本体からほぼ離れるように延在する。回転可能基部上に装着されたヘアスタイリング要素のそれぞれは、他のヘアスタイリング要素のそれぞれから離間する。
【０００８】
本発明のさらに別の態様は、髪をスタイリングする方法である。本方法は、上に回転可能基部を有する本体を保持することを含む。回転可能基部は、本体に対して回転するように本体上に装着されており、回転可能基部上に装着された複数のヘアスタイリング要素を有する。本体は、幅広側の面の対向する面上において、一対の幅狭側の面の間に幅広側の面を有する。回転可能基部は、幅広側の面に装着されている。本方法は、本体を移動させてヘアスタイリング要素を人の髪の内部に設置することを含む。回転可能基部に接続されるように機能する選択的にアクティブ化可能な駆動システムをアクティブ化し、回転軸を中心に本体に対して回転可能基部を回転駆動させ、ひいては、ヘアスタイリング要素の少なくとも一部が人の髪に接触した状態で、回転可能基部及びその上のヘアスタイリング要素を回転させる。回転可能基部の回転軸は、本体の縦軸に実質的に垂直に延在する。
【０００９】
本発明のさらに別の態様は、髪をスタイリングする方法である。本方法は、上に複数の回転可能基部を有する本体に接続されたハンドルを保持することを含む。回転可能基部のそれぞれは、本体に対して回転するように本体上に装着されており、回転可能基部上に装着された複数のヘアスタイリング要素を有する。本方法は、ハンドルを移動させてヘアスタイリング要素を人の髪の内部に設置することを含む。回転可能基部に接続されるように機能する選択的にアクティブ化可能な駆動システムは、本体に対して回転可能基部を回転駆動させるようにアクティブ化され、ひいては、ヘアスタイリング要素の少なくとも一部が人の髪に接触した状態で、回転可能基部及びその上のヘアスタイリング要素を回転させる。
【００１０】
本発明のさらなる態様において、手持ち式ヘアスタイリングデバイスは、概して、幅広側の面の対向する面上において一対の幅狭側の面の間に幅広側の面を有する本体を備え、本体の幅広側の面は、本体の幅狭側の面よりも広い幅を有する。回転可能基部が、回転軸を中心に本体に対して回転するように、本体上の幅狭側の面の間に装着されている。回転可能基部は、本体からほぼ離れるように対面する露出表面を有し、回転可能基部の回転軸は、本体の縦軸に実質的に垂直に延在する。少なくとも１つのヘアスタイリング要素が、回転可能基部に連れた本体に対する回転に供されるように、回転可能基部の露出表面上に装着されている。ヘアスタイリング要素は、本体からほぼ離れるように延在し、その内部に、回転可能基部の回転軸から半径方向外側に開放している凹部を有する。
【００１１】
本発明の別の態様では、手持ち式ヘアスタイリングデバイスは、概して、本体と、回転軸を中心に本体に対して回転するように本体上に装着された回転可能基部とを備える。回転可能基部は、本体からほぼ離れるように対面する露出表面を有する。回転可能基部の回転軸は、本体の縦軸に実質的に垂直に延在する。回転可能基部に連れた本体に対する回転に供されるように回転可能基部の露出表面上に装着されたヘアスタイリング要素が、本体からほぼ離れるように延在する。本体に対して回転可能基部を回転駆動する選択的に作動可能な駆動システムは、第１の位置と第２の位置との間で移動して回転可能基部の回転を作動させるように本体によって支持されたアクチュエータを含む。アクチュエータを回転可能基部に接続する変速機は、第１の位置から第２の位置までのアクチュエータの移動を、第１の方向における回転可能基部の回転に伝達することができる。変速機は、第２の位置から第１の位置までのアクチュエータの移動に応じて、第１の方向と反対の第２の方向における回転可能基部の回転を防止するように構成される。
【００１２】
本発明のさらに別の態様では、手持ち式ヘアスタイリングデバイスは、概して、本体と、回転軸を中心に本体に対して回転するように本体上に装着された回転可能基部とを備える。回転可能基部は、本体からほぼ離れるように対面する露出表面を有し、回転可能基部の回転軸は、本体の縦軸に実質的に垂直に延在する。少なくとも１つのヘアスタイリング要素が、回転可能基部に連れた本体に対する回転に供されるように、回転可能基部の露出表面上に装着されている。少なくとも１つの複数のヘアスタイリング要素が、本体からほぼ離れるように延在する。本体に対して回転可能基部を回転駆動するための選択的に作動可能な駆動システムは、２つの位置の間で移動して回転可能基部の回転を作動させるように本体によって支持されたアクチュエータを含む。変速機は、アクチュエータを回転可能基部に接続して、第１の位置から第２の位置までのアクチュエータの移動を、第１の方向における回転可能基部の回転に伝達する。変速機は、アクチュエータが第１の位置から第２の位置まで移動すると回転軸を中心とする回転可能基部の１回の３６０度回転を生じるように構成されている。
【００１３】
他の目的及び特徴は、部分的に明白であり、以下に部分的に指摘されるであろう。
【図面の簡単な説明】
【００１４】
【図１】本発明のヘアスタイリングデバイスの一実施形態の斜視図である。
【図２】異なる視点から見た、図１に示されたヘアスタイリングデバイスの追加の斜視図である。
【図３】異なる視点から見た、図１に示されたヘアスタイリングデバイスの追加の斜視図である。
【図４】図１〜図３に示されたヘアスタイリングデバイスの側面図である。
【図５】図１〜図４に示されたヘアスタイリングデバイスの上面図である。
【図６】図１〜図５に示されたヘアスタイリングデバイスの底面図である。
【図７】図１〜図６に示されたヘアスタイリングデバイスの分解斜視図である。
【図８】内部特徴を示すためにデバイスの一部を省いた、図１〜図７に示されたヘアスタイリングデバイスの斜視図である。
【図９】追加の内部特徴を示すためにデバイスの一部が省かれていることを除いては図８と同様の、図１〜図８に示されたヘアスタイリングデバイスの斜視図である。
【図１０】図１〜図９に示されたヘアスタイリングデバイスとともに使用するために交換可能回転板上に異なるスタイリング要素構成を有する、２つの異なるセットの交換可能回転板の斜視図である。
【図１１】人の髪をカールするために、図１〜図９に示されたデバイスを使用する１つの方法を示す斜視図である。
【図１２】本発明のヘアスタイリングデバイスの別の実施形態の斜視図である。
【図１３】本発明のヘアスタイリングデバイスの別の実施形態の斜視図である。
【図１４】内部特徴を示すためにデバイスの一部を省いた、図１３に示された実施形態の別の斜視図である。
【図１５】押下位置における手動アクティブ化可能駆動レバーを示す、図１３〜図１４に示された実施形態の斜視図である。
【図１６】本発明のヘアスタイリングデバイスの別の実施形態の斜視図である。
【図１７】内部特徴を示すためにデバイスの一部を省いた、図１６に示された実施形態の別の斜視図である。
【図１７Ａ】内部特徴を示すためにデバイスの一部を省いた、図１６に示された実施形態の別の斜視図である。
【図１８】押下位置における手動アクティブ化可能駆動レバーを示す、図１６〜図１７に示された実施形態の斜視図である。
【図１９】本発明のヘアスタイリングデバイスの別の実施形態の斜視図である。
【図２０】内部特徴を示すためにデバイスの一部を省いた、図１９に示された実施形態の別の斜視図である。
【図２１】押下位置における手動アクティブ化可能駆動レバーを示す、図１９〜図２０に示された実施形態の斜視図である。
【図２２】本発明のヘアスタイリングデバイスの別の実施形態の斜視図である。
【図２３】内部特徴を示すためにデバイスの一部を省いた、図２２に示された実施形態の別の斜視図である。
【図２４】押下位置における手動アクティブ化可能駆動レバーを示す、図２２〜図２３に示された実施形態の斜視図である。
【図２５】本発明のヘアスタイリングデバイスの別の実施形態の斜視図である。
【図２６】本発明のヘアスタイリングデバイスの別の実施形態の斜視図である。
【図２７】本発明のヘアスタイリングデバイスの別の実施形態の斜視図である。
【図２８】内部特徴を示すためにデバイスの一部を省いた、図２７に示された実施形態の別の斜視図である。
【図２９】内部特徴を示すためにデバイスの一部を省いた、図２７に示された実施形態の別の斜視図である。
【図３０】作動位置におけるデバイスのギヤを示す、図２９に示された実施形態の斜視図である。
【図３１】内部特徴を示すためにデバイスの一部を省いた、図２９に示された実施形態の斜視図である。
【図３２】本発明のヘアスタイリングデバイスの別の実施形態の斜視図である。
【図３３】内部特徴を示すためにデバイスの一部を省いた、図３２に示された実施形態の別の斜視図である。
【図３４】内部特徴を示すためにデバイスの一部を省いた、図３２に示された実施形態の別の斜視図である。
【図３５】内部特徴を示すためにデバイスの一部を省いた、図３４に示された実施形態の斜視図である。
【００１５】
対応する参照文字は、図面全体にわたって対応する部分を示す。
【発明を実施するための形態】
【００１６】
ここで最初に図１〜図９を参照すると、ヘアスタイリングデバイスの一実施形態は、全体に１０１が付される。デバイス１０１は、従来のヘアブラシと大体同じ方法で、髪にブラシをかけるのに使用されることができる。しかしながら、デバイス１０１はまた、下記により詳細に説明されるように、人の髪にカールを付与するために使用されることができる。
【００１７】
デバイス１０１は、本体１０３と、本体から延在するハンドル１０５とを有する。本体１０３は、それに固着された１つ以上のヘアスタイリング要素１０７を有する。ハンドル１０５は、人の手に適合するようにサイズ決定かつ成形され、従って、人は、その人の頭部上または別の人の頭部上の髪に対して、本体１０３と、その上のヘアスタイリング要素１０７とを移動させることができる。本体１０３及びハンドル１０５は、好適には、成形可能ポリマー材料から作られるが、その代わりに、他の材料を使用し得る。図７を参照すると、デバイス１０１の本体１０３及びハンドル１０５はそれぞれ、上側シェル１０９及び下側シェル１１１から作られ、これらのシェルは、図７の配向を参照して、そのように名付けられている。デバイス１０１がどのように配置されるかに応じて、下側シェル１１１が上側シェル１０９の上方に位置し得るとともに、逆もまた同様であることを理解されたい。本体１０３の上側シェル１０９及びハンドル１０５は、好適には、１ピースとして一緒に成形される。同様に、本体１０３の下側シェル１１１及びハンドル１０５はまた、好適には、１ピースとして一緒に成形される。上側シェル１０９及び下側シェル１１１は、示された実施形態のものよりも多いまたは少ないピースで作られることができ、シェルの複数のピースの間の境界線が変わり得ることを理解されたい。また、所望に応じて、シェルの構成は、図１〜図９に示されるものと異なり得る。上側シェル１０９及び下側シェル１１１は、本体１０３及びハンドル１０５を形成するように、（例えば、ねじ１１３または他の締結具によって）相互に固着されることができるように構成される。以下で明白になる理由のために、本体１０３及びハンドル１０５は、好適には、中空内部空間１１５を有する。
【００１８】
図４及び図５を参照すると、本体１０３は、好適には、本体１０３の対向する面上において、一対の幅狭側の面１２３の間に延在する幅広側の面１２１を有する。幅狭側の面１２３は、幅広側の面１２１の対向する面の間にある。幅広側の面１２１の幅Ｗ１は、幅狭側の面１２３の幅Ｗ２よりも広い。示された実施形態では、幅狭側の面１２３は、幅がほとんど等しいが、これは要求されるものではないことを理解されたい。本体１０３の幅広側の面１２１の幅Ｗ１は、好適には少なくとも約２インチである。本体１０３の長さＬ１は、好適には少なくとも約４インチである。本体１０３の長さＬ１を測定する目的のために、長さＬ１は、ハンドル１０５の反対側にある本体の端と、その端から最も遠くに離間するスタイリング要素１０７との間の距離として定義される。図１に示されるように、本体１０３の幅広側の面１２１は、好適には、実質的に平坦である。
【００１９】
複数のヘアスタイリング要素１０７は、本体の幅広側の面１２１に装着される。図１〜図９に示された実施形態では、ヘアスタイリング要素１０７の全てが本体１０３の幅広側の面１２１にある。ヘアスタイリング要素１０７の一部は、好適な固定スタイリング要素１２５であり、本体１０３に添着される。例えば、固定ヘアスタイリング要素１２５の一部または全てが、好適には、本体１０３の幅広側の面１２１に添着される。固定ヘアスタイリング要素１２５を本体１０３に添着する種々の方法がある。図７を参照すると、例えば、固定ヘアスタイリング要素１２５のいくつかまたは全ては、好適には、複数の固定ヘアスタイリング要素を支持する基部１２７上に装着される。示された実施形態では、いくつかの基部１２７があり、基部１２７のそれぞれは、少なくとも２つの固定ヘアスタイリング要素を支える。固定ヘアスタイリング要素１２５が下側シェル１１１内の開口部１２９を通って延在するように、基部１２７は本体１０３の内側に配置される。したがって、固定ヘアスタイリング要素１２５の遠位端は、ヘアスタイリングデバイス１０１の基部１０３から離れるように延在する。基部１２７は、上側シェル１０９及び下側シェル１１１によって、ヘアスタイリングデバイス１０１の内部空間１１５の内側に捕捉され、これによって、固定ヘアスタイリング要素を基部１０３上に保定する。ヘアスタイリングデバイスを設計及び／または製造する当業者は、固定スタイリング要素をヘアスタイリングデバイスの本体に添着するための、いくつかの他の選択肢を熟知し、示された実施形態の構成の代わりに選択肢のいずれかを使用することができる。
【００２０】
ヘアスタイリング要素１０７の少なくとも一部は、移動可能ヘアスタイリング要素１３５であり、本体に対して移動するために、本体１０３上に装着される。例えば、移動可能ヘアスタイリング要素１３５は、好適には、本体１０３に対して回転可能である。図１、図３、図５、及び図７を参照すると、複数の回転板１３７（広義には、回転可能基部）が、回転軸１３９を中心とする本体に対する回転板の回転のために、本体１０３上に装着される。示された実施形態の回転可能基部１３７は回転板の形態であるが、回転可能基部が、所望に応じて、他の形状及び構成（例えば、円蓋状または半球状）を有し得ることは明らかである。回転板１３７は、好適には、本体１０３の幅狭側の面１２３間において、本体１０３の幅広側の面１２１に装着される。図５を参照すると、回転板１３７は、好適には、本体１０３の縦軸１４３にほぼ沿って延在する直線状の構成で配列される。例えば、回転板１３７は、好適には、中心縦軸１４３上に直列に装着される。さらに、示された実施形態では、本体１０３の中心縦軸１４３は、ハンドル１０５の中央縦軸（また、１４３が付される）と整合し、従って、回転板１３７はまた、ハンドルの縦軸１４３に沿って延在する直線状の構成で配列される。回転板１３７は、好適には、回転板が相互に実質的に平行である回転軸１３９を有するように、本体１０３上に装着される。示された実施形態では、回転板１３７（例えば、全ての回転板）のうちの少なくとも１つの回転軸１３９は、ハンドル１０５が本体１０３から延在する方向に実質的に垂直である。回転軸１３９は、好適には、本体１０３の縦軸１４３及びハンドル１０５に実質的に垂直である。
【００２１】
移動可能ヘアスタイリング要素が回転板とともに移動するように、移動可能ヘアスタイリング要素１３５は回転板１３７上に装着される。回転板１３７は、好適には、下側シェル１１１内の開口部１４５内で受容され、これにより、回転板のいくつかの部分が本体１０３の内側に配置される。回転板１３７はまた、露出表面１４９を含み、露出表面１４９は、本体１０３の外側に配置される、または、少なくとも本体の外側からアクセス可能である、のどちらかである。回転板１３７の露出表面１４９は、本体１０３からほぼ離れるように対面する。移動可能ヘアスタイリング要素１３５は、好適には、回転板１３７の露出表面１４９に固着される。移動可能スタイリング要素１３５は、本体１０３から離れるように回転板１３７から延在する。
【００２２】
移動可能スタイリング要素１３５の少なくともの一部は、それらを支える回転板１３７の回転軸１４３からずれている。例えば、図１〜図９に示された実施形態では、移動可能ヘアスタイリング要素１３５のそれぞれは、各々の回転板１３７の回転軸１４３からずれている。図５に示されるように、移動可能スタイリング要素１３５の一部または全てが、半径方向外向きに、各々の回転板１３７の外周に達するまで延在する。ずれた移動可能スタイリング要素１３５は、比較的幅広い円内で移動するように配置され、このとき、回転板１３７は、そのずれた位置に起因して回転する。回転板１３７は、好適には、少なくとも約０．７５インチ等の比較的大きい直径Ｄ１を有する。
【００２３】
図４を参照すると、移動可能スタイリング要素１３５は、好適には、本体１０３から固定スタイリング要素１２５のものとほとんど同じ距離だけ延在する。全てのヘアスタイリング要素の遠位端は、好適には、図４に示されるように、同じ平面Ｐ上で存在する。代替として、全てのヘアスタイリング要素の遠位端は、円筒面上または他の滑らかな曲面上に存在し得る。ヘアスタイリングデバイス１０１が従来のブラシと同じ方法で髪にブラシをかけるために使用されるとき、固定ヘアスタイリング要素１２５及び移動可能ヘアスタイリング要素１３５の両方は、髪及び／または頭皮に接触するように配置され、デバイス１０１が頭皮に接触する場合、１セットのヘアスタイリング要素が、他のものよりも著しく長く、これにより、端部が、必ずしも同じ平面上または円滑な曲面上に存在しない場合が生じ得るように、圧力が少数のヘアスタイリング要素１２５、１３５だけに集中する傾向がない。
【００２４】
移動可能スタイリング要素１３５の構成は、本発明の広義の範囲内で変形することができる。図１〜図９に示された実施形態では、移動可能スタイリング要素の少なくとも一部（例えば、全て）は、パドル形状構成を有する。パドル形状スタイリング要素１３５のそれぞれは、回転方向にほぼ対面するように配向される幅広面１５１と、回転方向に対してほぼ半径方向に対面するように配向される幅狭面１５３とを有する。本実施形態における移動可能ヘアスタイリング要素１３５は、好適には、相互に実質的に平行である。しかしながら、移動可能スタイリング要素が、所望に応じて、基部から離れるように延在するにつれて、相互に向かって、または離れて、角度が変わるように配向され得ることは明らかである。また、本実施形態では、移動可能スタイリング要素１３５のそれぞれは、他の移動可能ヘアスタイリング要素のそれぞれから離間する。これは、１つ以上の束のスタイリング要素が相互に当接して装着される「房」スタイルのヘアスタイリング要素と対照的である。しかしながら、移動可能スタイリング要素が、所望に応じて、１つ以上の房部を含み得ることは明らかである。
【００２５】
デバイス１０１は、回転板１３７を回転駆動すること等によって、移動可能スタイリング要素１３５を移動駆動するための駆動システム１６１を含む。例えば、駆動システム１６１は、ユーザによって選択的にアクティブ化可能であり、所望されるとき、回転板１３７及びその上の移動可能スタイリング要素１３５を回転させる。例えば、駆動システム１６１は、好適には、さらに、所望されるとき、本体１０３に対して回転板１３７及びその上の移動可能スタイリング要素１３５を保持するように構成される。
【００２６】
図７〜図９を参照すると、駆動システム１６１は、好適には、回転板１３７に接続されるモータ１６３（例えば、電気モータ）を含み、モータが、本体１０３に対して回転板を回転させることができるようにする。示された実施形態では、モータ１６３は、ギヤ１７１のセットによって、回転板１３７に接続される。ギヤは、モータ１６３の出力軸１７５上に装着される駆動スプロケット１７３を含み、出力軸及び駆動スプロケットが一緒に回転するようにする。駆動スプロケット１７３は変速ギヤ１７７と噛合し、変速ギヤ１７７は、回転板ギヤ１７９の第１のセットと噛合する。回転板１３７は回転板ギヤ１７９上に装着され、回転板が、回転板ギヤとともに（例えば、一緒に）回転するようにする。示された実施形態では、変速ギヤ１７７は、モータ１６３の駆動スプロケット１７３及び出力軸１７５の角速度よりも大きい角速度で、第１の回転板ギヤ１７９を回転させるように構成される。すなわち、変速ギヤ１７７は、電力がモータから回転板１３７に伝達されるにつれて速度を増加させるように構成される。しかしながら、変速ギヤは、所望に応じて、モータに対して、回転板ギヤの速度を減少させるように構成され得る。
【００２７】
アイドラギヤ１８１は、回転板ギヤ１７９のそれぞれの間に配置され、アイドラギヤ１８１が隣接の回転板ギヤと噛合するようにする。それによって、ギヤ１７１は、回転板のそれぞれを同じ方向に回転させるように構成される。ギヤ１７１及び駆動システム１６１は、回転板１３７のそれぞれを実質的に同じ角速度で回転させるように構成される。例えば、示された実施形態の回転板ギヤ１７９は全て実質的に等しいサイズであり、アイドラギヤ１８１はまた、全て実質的に等しいサイズであり、これにより、回転板ギヤの全ては、ほとんど同じ速度で回転する。
【００２８】
回転板１３７は、種々の方法で回転板ギヤ１７９に接続されることができる。示された実施形態では、回転板１３７は、回転板ギヤ１７７に解放可能に固着される。図７〜図９を参照すると、例えば、回転板ギヤ１７７のそれぞれは、回転軸１３９（図８及び図９）に沿って延在するスピンドル１８５を有する。スピンドル１８５は、回転板１３７の基部内に形成されたソケット１８７（図７）内に受容されるようにサイズ決定かつ成形される。スピンドル１８５及びソケット１８７のそれぞれは、対応する非円形断面形状を有し、これにより、スピンドルがソケット内にあるとき、回転板１３７はスピンドル１８５及び回転板ギヤ１７９で回転をロックされる。スピンドル１８５及びソケット１８７は、好適には、髪をカールするために使用されるとき、デバイス１０１上で回転板を保持するには十分に強力であるが、ユーザが、所望されるとき、回転板１３７をスピンドル１８５から離すことができるくらい十分に弱い、スピンドルとソケットとの間における摩擦嵌合をもたらすように寸法決定される。これは、１つ以上の回転板１３７を異なる回転板と交換することを容易にする。
【００２９】
図１０は、デバイス１０１に交換可能に使用されることができる２つの異なるセットの回転板１３７、１３７’を示す。回転板１３７の第１のセットは、図１〜図９に示されるものと同じ回転板である。回転板１３７’の第２のセットは、異なる構成の移動可能ヘアスタイリング要素１３５’を有することを除いて、回転板１３７の第１のセットと実質的に同一である。パドル形状スタイリング要素１３５の代わりに、回転板１３７’の第２のセット上の移動可能スタイリング要素１３５’は実質的に円筒状である。実質的に円筒状のスタイリング要素１３５’のそれぞれは、他の要素のそれぞれから離間する。各回転板１３７’上のスタイリング要素１３５’の１つは、回転軸１３９上に位置する。他のスタイリング要素１３５’は、回転軸１３９からずれている。スタイリング要素１３７’は、全て相互に実質的に平行であり、グリッド構成（例えば、３×３グリッド）で配列される。ユーザが、デバイスに異なる種類の移動可能スタイリング要素を使用することを望むときはいつでも、回転板をデバイスから離し、それらの回転板を異なるセットの回転板に代えることができる。図１０に示されているのは２種類の回転板１３７、１３７’だけであるが、移動可能ヘアスタイリング要素の構成において多くの可能な変形例があり、所望され得る可能な構成のいずれかに関する異なるセットの回転板があり得ることは明らかである。
【００３０】
デバイス１０１の外部上においてアクセス可能であるスイッチ１６５は、モータ１６３の動作を制御し、ユーザが、駆動システム１６１を選択的にアクティブ化及び非アクティブ化することを可能にする。スイッチ１６５は、電源（示された実施形態の内蔵電池１６７等）に対してモータ１６３を選択的に接続及び遮断することが可能である、任意の好適なスイッチであり得る。
【００３１】
例えば、スイッチ１６５は、好適には、ユーザによってスイッチが押し下げられるとモータ１６３に電源投入して駆動システム１６１をアクティブ化し、かつ、ユーザがスイッチを離すとすぐに、モータを電源遮断して駆動システムをオフにするように構成される。したがって、ユーザは、ワンタッチだけで、駆動システム１６１をアクティブ化及び非アクティブ化してよく、タッチの持続時間は、駆動システムがアクティブである期間を規定するものである。デバイス１０１を使用するいくつかの方法が、駆動システム１６１の動作を継続するために、ユーザによるアクティブな入力を必要とする（ユーザがスイッチ１６５を押し続けること等を必要とする）ことが望ましい場合がある。例えば、ユーザがデバイスの使用中に混乱し、スイッチ１６５への圧力が維持できなくなる場合、デバイス１０１は、回転板１３７の回転を自動的に停止させ、これによって、ユーザが混乱している間の駆動システムの動作継続に起因して髪が絡まる危険性を最小限にする。同様に、ユーザがモータ１６３をオフにしようとする場合に生じ得る、髪の絡まり等の問題の危険性が少なくなるが、スイッチ１６５を押そうとする際の物理的誤り（例えば、不手際）によって、モータ１６３をオフにするのが遅延する。
【００３２】
デバイス１０１は、固定スタイリング要素モード及び移動（例えば、回転）スタイリング要素モードという２つのモードのいずれかで使用されることができる。固定スタイリング要素モードで使用されるとき、デバイス１０１は従来のヘアブラシと実質的に同じ方法で動作する。ユーザは、人の髪に対してデバイス１０１のハンドル１０５を移動させ、これにより、固定及び移動可能スタイリング要素１２５、１３５は、（例えば、髪の絡まりをほぐし、頭髪用化粧品を髪、直髪、巻き髪等の全体にわたって分散するために）人の髪に引っ掛けられ、人の髪に対して移動する。
【００３３】
移動ヘアスタイリング要素モードでデバイス１０１を使用するために、ユーザは、駆動システム１６１をアクティブ化し（例えば、スイッチ１６５を押すことによって）、移動スタイリング要素１３５を移動駆動させる。例えば、図１１を参照すると、ユーザは、好適には、駆動システム１６１をアクティブ化して回転板１３７を本体１０３に対して回転駆動させ、これによって、回転板及びその上の移動可能ヘアスタイリング要素１３５を回転させる一方で、ヘアスタイリング要素の少なくとも一部は上述の人の髪に接触する。本方法を使用して、種々のスタイル効果を達成することできる。例えば、回転している回転板１３７及び移動可能ヘアスタイリング要素は、人の頭部上の髪１９１のセットからねじれた髪の房１９３を好適に形成する。図１１では、パドル形状移動可能ヘアスタイリング要素１３５は、人の頭部から離間した場所（例えば、髪の束の端の近く）に、髪の房１９３と接触するように置かれる。パドル形状スタイリング要素１３５上の幅広面１５１は、略円形で髪を移動させ、これによって、髪の房を、デバイスと接触する髪の区画と人の頭部との間に延在するような略らせんコイル状にねじる。房１９１に適用されるらせん状の曲がりは、好適には、その房内でらせん状のコイルを形成している回転板１３７の回転軸１３９に実質的に平行である中心軸を有する。別の回転板を使用して別のねじれ房を形成しながら、回転板の第１のセットを使用して、第１のねじれ房を形成することが可能である。デバイス１０１が３つの回転板１３７を有するため、同時に、また、髪１９１の３つの別個の房１９３をらせんコイル状にねじることも可能となる。しかしながら、同時に、複数のらせんコイル状を形成することは必要ではない。
【００３４】
本方法は、長く続くらせん状の曲がりを房に付与するために選択された期間中に、髪１９１をねじれ房に保持することを随意に含む。例えば、房１９３をコイル形状に保持しながら、また、水分が蒸発し、または、ヘアスタイリング化粧品が乾燥し、及び／またはデバイス１０１が髪から取り外された後に髪がらせん状を保持するのを補助するセットをした状態で房１９３をコイル形状に保持しながら、房１９３に水を吹き付けたり、ヘアスプレー、ムース、ジェル、または他のヘアスタイリング化粧品を接触させたりする。
【００３５】
本プロセスは、らせん状のカールを髪１９１の追加の房１９３に付与することを所望する回数で繰り返すことができる。
【００３６】
これは、人の髪をカールするためにデバイスを使用することができる方法の単なる一例にすぎない。移動可能ヘアスタイリング要素が、所望に応じて、異なる方法で使用され得ることは明らかである。
【００３７】
図１２は、本発明のヘアスタイリングデバイス２０１の別の実施形態を示す。本デバイス２０１は、任意の固定ヘアスタイリング要素を有しないことを除いて、上記に説明され、かつ図１〜図９に示されたデバイス１０１に実質的に同一である。その代わりに、ヘアスタイリング要素２０７の全ては、回転板２３７上に装着される移動可能ヘアスタイリング要素２３５である。デバイス２０１は、上記に説明されたデバイス１０１と同じ方法を行うために使用されることができる。
【００３８】
図１３〜図１５に、全体に３０１が付された、ヘアスタイリングデバイスの別の実施形態を示す。本デバイス３０１は、上記に説明された駆動システム１６１が手動アクティブ化可能駆動システム３６１に置き換えられることを除いて、上記に説明され、かつ図１〜図９に示されたデバイス１０１と実質的に同等である。本デバイス３０１内にモータは存在しない。駆動システム３６１はギヤ３７１を有し、ギヤ３７１は、上記に説明された回転板ギヤ１７９及びアイドラギヤ１８１に対応する回転板ギヤ３７９及びアイドラギヤ３８１を含む。ただし、モータに代えて、デバイス３０１が手動アクチュエータ３７５を有し、手動アクチュエータ３７５は、示された実施形態では、枢動運動のために装着されたレバーの形態であり、これにより、レバーの一端が、ハンドル３０５の外側に延在する。駆動ソケットの区画に対応する歯３７３のセットは、レバー３７５の反対端に形成される。歯３７３は変速ギヤ３７７と噛合し、変速ギヤ３７７は補助アイドラギヤ３９３と噛合し、補助アイドラギヤ３９３は回転板ギヤ３７９の１つと噛合する。
【００３９】
レバー３７５は、レバーがハンドル３０５から更に遠方に突出する第１の位置（図１４）と、ハンドルからのレバーの突出を減少させた第２の位置（図１５）との間で、ユーザによって移動可能である。付勢部材３９５（例えば、ばね）が、レバー３７５を第１の位置に向かって付勢するようにハンドル３０５内に位置決め及び配列される。レバー３７５は、ギヤ３７１に対して位置決め及び配列され、第１の位置と第２の位置との間におけるレバーの移動が、ギヤによって、回転板３３７及びその上の移動可能スタイリング要素３３５を移動駆動させるようにする。上記に説明された駆動システム１６１と同様であるように、ギヤ３７１は、同じ方向に、かつほとんど同一速度で、回転板３３７のそれぞれを駆動させるように構成される。
【００４０】
デバイス３０１は、図１〜図９に示されたデバイス１０１に関連して上記に説明されたものと実質的に同じ方法で使用されることができる。ただし、移動可能スタイリング要素を移動させるために、ユーザは、アクチュエータ３７５（例えば、レバー）を手動で操作することによって、駆動システム３６１を手動でアクティブ化し、アクチュエータを第１の位置から第２の位置に移動させる。次に、ユーザは、アクチュエータ３７５を解放する前に、デバイスを髪から取り外す。ユーザがアクチュエータ３７５を解放すると、付勢部材３９５は、アクチュエータを第１の位置に戻るように自動的に移動させる。本プロセスは、所望の回数だけ繰り返してよい。
【００４１】
図１６〜図１８に、全体に４０１が付された、ヘアスタイリングデバイスの別の実施形態を示す。本デバイス４０１は、本体４０３が略楕円状を有し、本体から延在する長尺のハンドルを含まないことを除いて、上記に説明され、かつ図１３〜図１５に示されたデバイス３０１と同等である。むしろ、本体４０３自体は、デバイス４０１を操作するために、ユーザによって把持されることが意図される。さらに、つかみ表面４９７が、本体を把持することを容易にするために、本体４０３上で提供される。示されるように、つかみ表面４９７は、本体４０３内の一連の平行チャネルである。ただし、つかみ表面が、限定されないが、隆起表面、でこぼこ、及び高摩擦材料を含む、異なる形態をとり得ることは明らかであろう。示されるように、本体４０３は、一緒に接続され得る２つの半部分で形成される。本体の一方の半部分は、内部構成を示すために、図１４及び図１５では省かれている。
【００４２】
加えて、複数の移動可能スタイリング要素４３５を含む単一の回転板４３７だけが、本体４０３上に装着されている。デバイス３０１と同様に、駆動システム４６１はギヤ４７１を有し、ギヤ４７１は、単一の回転板ギヤ４７９と、その回転板ギヤに対応する単一のアイドラギヤ４８１とを含む。示された実施形態における手動アクチュエータ４７５は、枢動運動のために装着されたレバーの形態であり、レバーの一端が、ハンドル４０３の外側に延在するようにする。駆動ソケットの区画に対応する歯４７３のセットは、レバー４７５の反対端に形成される。歯４７３は変速ギヤ４７７と噛合し、変速ギヤ４７７はアイドラギヤ４８１と噛合し、アイドラギヤ４８１は回転板ギヤ４７９と噛合する。回転板４３７は、回転板との共同回転のために、回転板ギヤ４７９に接続されている。示された実施形態では、各移動可能スタイリング要素４３５は、要素の幅狭面４５３に形成される一対の凹部４５７を伴うパドル形状を有する。凹部４５７は、くしの歯に類似して、へアスタイリング要素４３５の半径方向外向きに対面し、使用中、多くの髪の房を受容かつ保定する。ただし、移動可能スタイリング要素４３５の構成は、本発明の広義の範囲内で変形することができる。本体４０３の全体サイズは、本体１０３のものと同等であり、本体４０３の幅広側の面の幅を好適には少なくとも約２インチとし、本体４０３の長さを好適には少なくとも約４インチとする。
【００４３】
デバイス３０１に関して上記に説明されたように、レバー４７５は、第１の位置（図１７及び図１７Ａ）と第２の位置（図１８）との間で、ユーザによって移動可能である。付勢部材４９５（例えば、ばね）は、ハンドル４０３内に位置決め及び配列され、レバー４７５を第１の位置（図１７Ａ）に向かって付勢する。レバー４７５は、ギヤ４７１に対して位置決め及び配列され、第１の位置と第２の位置との間におけるレバーの移動が、ギヤを介して、回転板４３７及びその上の移動可能スタイリング要素４３５を移動駆動させるようにする。
【００４４】
移動可能スタイリング要素を移動させるために、ユーザは、アクチュエータ４７５（例えば、レバー）を手動で操作することによって、駆動システム４６１を手動でアクティブ化し、アクチュエータを第１の位置から第２の位置に移動させる。ギヤ４８１及び４７９に関連するギヤ４７７のサイズは、回転板４３７及びその上に装着されるヘアスタイリング要素を、ギヤ４７７よりも大きい回転角によって、より急速に回転させる。次に、ユーザは、アクチュエータ４７５を解放する前に、デバイスを髪から取り外す。ユーザがアクチュエータ４７５を解放すると、付勢部材４９５は、アクチュエータを第１の位置に戻るように自動的に移動させる。本プロセスは、所望される回数だけ繰り返してよい。
【００４５】
図１９〜図２１に、全体に５０１が付された、ヘアスタイリングデバイスの別の実施形態を示す。本デバイス５０１は、アクチュエータ５７５が本体５０３の側面に押下可能ボタンを備えることを除いて、上記に説明され、かつ図１６〜図１８に示されたデバイス４０１と実質的に同等である。アクチュエータ５７５は、線に沿って前後に移動し、ヘアスタイリング要素５３５の回転を作動させることができる。特に図１７及び図１８で省かれた本体の一部を含む本体５０３は、その直線状の往復経路に沿って、アクチュエータ５７５の移動を誘導するための構造を含む。ばね５９５は、ボタンを形成する部分の反対側にあるアクチュエータ５７５の端に取り付けられる。ばね５９５の他の端は、図２０及び図２１で省かれた本体５０３の一部の上にある支柱（図示されない）に取り付けられる。支柱は、ばね５９５がアクチュエータ５７５を移動させるために作動する固定点を提供する。加えて、各移動可能スタイリング要素５３５は、略三角形断面を伴うパドル形状である。凹部５５７は、スタイリング要素の側面５５３内に形成される。一実施形態では、前述の実施形態のヘアスタイリングデバイス４０１は、本発明の範囲から逸脱することなく、本実施形態のデバイス５０１に関して開示されるアクチュエータ５７５を含むアクチュエータアセンブリを使用してよい。
【００４６】
図２２〜図２４に、全体に６０１が付された、ヘアスタイリングデバイスの別の実施形態を示す。本デバイス６０１は、アクチュエータ６７５が本体６０３の底部に押下可能ボタンを備えることを除いて、上記に説明され、かつ図１９〜図２１に示されたデバイス５０１と実質的に同等である。さらに、アクチュエータ６７５は、概して、図２２及び図２３に示されるように、押し下げられないとき、本体６０３の表面と略同一平面上にある。図２３及び図２４に示されるように、本体６０３は、アクチュエータ６７５の移動を誘導する誘導壁を含む。同様の誘導壁（図示されない）がまた、図２３及び図２４から省かれた本体６０３の一部の上に存在する。本実施形態では、２つのばね６９５を採用する。ばね６９５は、アクチュエータ６７５の各々の脚部の端に取り付けられる。ばね６９５の他の端は、図２３及び図２４で省かれている本体６０３の一部の上にある支柱（図示されない）に取り付けられる。脚部の１つは、駆動システム６６１に係合する歯６７３で形成される。加えて、各移動可能スタイリング要素６３５は、パドル形状であり、略長方形断面を有する。ヘアスタイリング要素６３５は、凹部を有しないが、そのような凹部を使用し得ることは明らかであろう。
【００４７】
図２５に、全体に７０１が付された、ヘアスタイリングデバイスの別の実施形態を示す。本デバイス７０１は、単一のスタイリング要素７３５が回転板７３７上に装着されたことを除いて、上記に説明され、かつ図１９〜図２１に示されたデバイス５０１と実質的に同等である。スタイリング要素７３５は、三角柱形状を有する。スタイリング要素７３５の側面７５９は凹面である。凹部７５７は、スタイリング要素７３５の縁７５３内に形成される。凹部７５７は、ヘアスタイリング要素から半径方向外向きに開放している。凹部７５７は、群になって配列される。異なる群の凹部は、回転可能基部７３７の回転軸を中心に、異なる半径方向に開放している。
【００４８】
図２６に、全体に８０１が付された、ヘアスタイリングデバイスの別の実施形態を示す。本デバイス８０１は、スタイリング要素８３５が略六角柱形状を有することを除いて、上記に説明され、かつ図１９〜図２１に示されたデバイス５０１と実質的に同等である。凹部８５７は、スタイリング要素８３５の側面８５３内に形成される。
【００４９】
図２７〜図３１に、全体に９０１が付された、ヘアスタイリングデバイスの別の実施形態を示す。本デバイス９０１は、アクチュエータ９７５が本体９０３の側面に押下可能ボタンを備えることを除いて、上記に説明され、かつ図１６〜図１８に示されたデバイス４０１に実質的に同等である。アクチュエータ９７５は、線に沿って前後に移動し、回転板９３７のヘアスタイリング要素９３５の回転を作動させることができる。本体９０３は、その直線状の往復経路に沿って、アクチュエータ９７５の移動を誘導するための誘導壁９７８を含む。本実施形態では、２つのばね９９５を採用する。ばね９９５は、アクチュエータ９７５の各々の支柱９９６に取り付けられ、かつその周囲に受容される。ばね９９５の他の端は、本体９０３内の内壁によって形成されるレセプタクル９９７内に保定される。支柱９９６は、ばね９９５の移動を誘導し、レセプタクル９９７の壁は、ばね９９５がアクチュエータ９７５を移動させるために作動する固定点を提供する。歯９７３は、アクチュエータ９７５のフランジ９７４上で形成される。歯９７３は変速（第１の駆動）ギヤ９７７と噛合し、変速ギヤ９７７は（第１の駆動ギヤと共同回転するように装着された大径の第２の駆動ギヤを介して）アイドラギヤ９８１（広義には、「方向性駆動ギヤ」）と噛合し、アイドラギヤ９８１は基部または回転板ギヤ９７９と噛合するように構成可能である。回転板９３７は、回転板と共同回転するように、回転板ギヤ９７９に接続されている。第１及び第２のギヤはまた、「メインギヤ」であると理解されてもよい。
【００５０】
図２９〜図３１を参照すると、アクチュエータ９７５が押し下げられないときアイドラギヤが回転板ギヤ９７９から離間するように、アイドラギヤ９８１はスロット９９９内に着座する。スロット９９９は、長尺の楕円状チャネルを画定し、その長尺の楕円状チャネルは、スロット内部でのアイドラギヤ９８１の並進運動と、スロット内に受容されるアイドラギヤのシャフトの回転運動とを可能にする。アクチュエータ９７５を、伸張した第１の位置から圧縮された第２の位置まで当該アクチュエータを移動させるために押し下げると、図２９〜図３１の図に示されるように、歯９７３が反時計回りに変速ギヤ９７７を回転させるようになる。第１の位置から第２の位置までのアクチュエータ９７５の移動は、アクチュエータの「動作モード」である。変速ギヤ９７７の反時計回り回転により、アイドラギヤ９８１を時計回り方向に回転させる。アイドラギヤ９８１が円形凹部内に固定されるように保持されずに、スロット９９９内に装着されるため、変速ギヤ９７７からの係合は、アイドラギヤを、スロットの底端からスロットの上端までスロット内で上方に移動させ、回転板ギヤ９７９と係合させる。アイドラギヤ９８１が回転板ギヤ９７９と係合すると、アクチュエータ９７５を押し続けることにより、アイドラギヤのさらなる回転が生じて、このとき係合している回転板ギヤを回転させ、次に、回転板９３７を回転させる。一実施形態では、アクチュエータ９７５の完全な押し下げにより、回転板９３７の１回の回転を生じる（すなわち、回転板は、１回の３６０度回転を受ける）。完全な押し下げに至ると、アクチュエータ９７５のさらなる押し下げがデバイス９０１によって防止される。アクチュエータ９７５の完全な押し下げにより、回転板９３７の１回に満たない回転または１回よりも多い回転が生じてもよいことがさらに想定される。
【００５１】
アクチュエータ９７５への圧力を解放することで、ばね９９５にアクチュエータを上向きに押勢させ、歯９７３に変速ギヤ９７７を時計回りに回転させる。このような第２の位置から第１の位置に戻るアクチュエータ９７５の移動は、アクチュエータの「アイドリングモード」として理解可能である。変速ギヤ９７７の時計回り回転により、アイドラギヤ９８１を反時計回りに回転させる。しかしながら、アイドラギヤ９８１が円形凹部内に固定されるように保持されずに、スロット９９９内に装着されるため、変速ギヤ９７７からの係合は、アイドラギヤを、スロットの上端からスロットの下端までスロット内で下方に移動させ、回転板ギヤ９７９との係合を解除する。したがって、アイドラギヤ９８１の回転により、その回転が回転板ギヤ９７９に付与されない。したがって、アクチュエータ９７５が解放されると、回転板９３７は回転しない。したがって、アクチュエータ９７５の押し下げ中だけ、回転板９３７の回転が生じる。結果として、ギヤ９７１だけが、単一方向に回転板９３７を回転させる。これは、ユーザが、アクチュエータ９７５の押し下げと押し下げとの間にデバイスを髪から取り外すことなく、デバイス９０１を使用して髪をスタイリングすることを可能にする。ギヤ９７１、９８１、及び９７９を含むギヤは、示される実施形態では、変速機であると理解されることができる。
【００５２】
図３２〜図３５に、全体に１００１が付された、ヘアスタイリングデバイスの別の実施形態を示す。本デバイス１００１は、デバイス１００１が図２７〜図３１に示されたデバイス９０１内に開示されたものと同様の駆動システム１０６１を含むことを除いて、上記に説明され、かつ図１３〜図１５に示されたデバイス３０１と実質的に同等である。したがって、レバー１０７５が押されると回転板１０３７は１回転だけ完了し（すなわち、回転板は１回の３６０度回転を受ける）、レバーが解放されると回転板は回転しないため、回転板は単一方向にのみ回転する。
【００５３】
駆動システム１０６１はギヤ１０７１を有し、ギヤ１０７１は、上記に説明された回転板ギヤ３７９及びアイドラギヤ３８１に対応する回転板ギヤ１０７９及びアイドラギヤ１０８１を含む。これらのギヤを、「変速機」と総称する場合がある。歯１０７３のセットが、レバー１０７５上に形成される。歯１０７３は変速ギヤ１０７７と噛合し、変速ギヤ１０７７は補助アイドラギヤ１０９３と噛合し、補助アイドラギヤ１０９３は回転板ギヤ１０７９の１つと噛合するように構成可能である。本実施形態では、補助アイドラギヤ１０９３はスロット１０９９内部に装着され、レバー１０７５が押されると、アイドラギヤ９８１及びスロット９９９に関して上記に説明された方式で移動する。したがって、レバー１０７５が解放されると、補助アイドラギヤ１０９３の回転により、その回転が隣接する回転板ギヤ１０７９に付与されない。従って、レバー１０７５が解放されるとき、回転板１０３７は回転しない。したがって、レバー１０７５の押し下げ中だけ、回転板１０３７の回転が生じる。結果として、ギヤ１０７１だけが、単一方向に回転板１０３７を回転させる。これは、ユーザが、レバー１０７５の押し下げと押し下げとの間にデバイスを髪から取り外すことなく、デバイス１００１を使用して髪をスタイリングすることを可能にする。隣接する一対の回転板１０３７の間におけるアイドラギヤ１０８１の位置決めは、回転板の全てが同じ方向に回転することを可能にする。
【００５４】
前述の説明を考慮すると、以下の内容を想到するに至ったことが理解されるであろう。
【００５５】
Ａ１．手持ち式ヘアスタイリングデバイスであって、
幅広側の面を有する本体であって、前記幅広側の面は前記幅広側の面の対向する面上において一対の幅狭側の面の間にあり、前記本体の幅広側の面は前記本体の前記幅狭側の面よりも広い幅を有する、前記本体と、
回転軸を中心に前記本体に対して回転するように前記本体上の前記幅狭側の面の間に装着された複数の回転可能基部であって、前記回転可能基部のそれぞれは前記本体からほぼ離れるように対面する露出表面を有する、前記複数の回転可能基部と、
前記各々の回転可能基部に連れた前記本体に対する回転に供されるように前記回転可能基部のそれぞれの前記露出表面上に装着された複数のヘアスタイリング要素であって、前記本体からほぼ離れるように延在する、前記複数のヘアスタイリング要素と、
前記回転可能基部の少なくとも１つの前記回転軸に実質的に垂直である方向に、前記本体から延在する、ハンドルと、
を備える、前記手持ち式ヘアスタイリングデバイス。
【００５６】
Ａ２．前記本体に対して前記回転可能基部を回転駆動する選択的にアクティブ化可能な駆動システムをさら備える、Ａ１に記載の手持ち式ヘアスタイリングデバイス。
【００５７】
Ａ３．前記選択的にアクティブ化可能な駆動システムは、前記選択的にアクティブ化可能な駆動システムがアクティブ化されていないときに前記本体に対する固定位置に前記回転可能基部を保持するように構成されている、Ａ２に記載の手持ち式ヘアスタイリングデバイス。
【００５８】
Ａ４．前記選択的にアクティブ化可能な駆動システムは、ギヤのセットと、前記ギヤに接続された手動アクチュエータとを備え、これにより、ユーザは、前記手動アクチュエータを手動で操作することによって前記回転可能基部を回転駆動し得る、Ａ２に記載の手持ち式ヘアスタイリングデバイス。
【００５９】
Ａ５．前記選択的にアクティブ化可能な駆動システムは、電気モータであって、前記モータは、前記本体に対して前記回転可能基部を回転させることができるように前記回転可能基部に接続された、前記電気モータと、前記電気モータを選択的にオンかつオフにするように構成されたスイッチとを備える、Ａ２に記載の手持ち式ヘアスタイリングデバイス。
【００６０】
Ａ６．前記本体の前記幅広側の面に添着された複数のヘアスタイリング要素をさら備える、Ａ１に記載の手持ち式ヘアスタイリングデバイス。
【００６１】
Ａ７．前記回転可能基部に装着された前記ヘアスタイリング要素の少なくとも一部は、パドル形状構成を有する、Ａ１に記載の手持ち式ヘアスタイリングデバイス。
【００６２】
Ａ８．前記回転可能基部に装着された前記ヘアスタイリング要素のそれぞれは、他のヘアスタイリング要素のそれぞれから離間している、Ａ１に記載の手持ち式ヘアスタイリングデバイス。
【００６３】
Ａ９．前記ヘアスタイリング要素の全てが前記回転可能基部上に装着されている、Ａ１に記載の手持ち式ヘアスタイリングデバイス。
【００６４】
Ａ１０．前記本体は縦軸を有し、前記回転可能基部は前記本体の前記縦軸にほぼ沿って延在する直線状の構成をなして前記本体上に装着されている、Ａ１に記載の手持ち式ヘアスタイリングデバイス。
【００６５】
Ａ１１．前記回転可能基部は、相互に実質的に平行である回転軸を有する、Ａ１に記載の手持ち式ヘアスタイリングデバイス。
【００６６】
Ａ１２．前記ヘアスタイリング要素は相互に実質的に平行である、Ａ１に記載の手持ち式ヘアスタイリングデバイス。
【００６７】
Ａ１３．前記本体の前記幅広側の面は実質的に平坦である、Ａ１に記載の手持ち式ヘアスタイリングデバイス。
【００６８】
Ａ１４．前記本体の前記幅広側の面は、少なくとも約２インチである幅を有する、Ａ１に記載の手持ち式ヘアスタイリングデバイス。
【００６９】
Ａ１５．前記本体は、少なくとも約３インチである長さを有する、Ａ１に記載の手持ち式ヘアスタイリングデバイス。
【００７０】
Ａ１６．前記回転可能基部の少なくとも１つは、少なくとも約２インチの長さである径を有する、Ａ１に記載の手持ち式ヘアスタイリングデバイス。
【００７１】
Ａ１７．手持ち式ヘアスタイリングデバイスであって、
幅広側の面を有する本体であって、前記幅広側の面は前記幅広側の面の対向する面上において一対の幅狭側の面の間にあり、前記本体の幅広側の面は前記本体の前記幅狭側の面よりも広い幅を有する、前記本体と、
回転軸を中心に前記本体に対して回転するように前記本体上の前記幅狭側の面の間に装着された複数の回転可能基部であって、前記回転可能基部のそれぞれは前記本体からほぼ離れるように対面する露出表面を有する、前記複数の回転可能基部と、
前記各々の回転可能基部に連れた前記本体に対する回転に供されるように前記回転可能基部のそれぞれの前記露出表面上に装着された複数のヘアスタイリング要素であって、本体からほぼ離れるように延在する、前記複数のヘアスタイリング要素と、を備え、
前記回転可能基部上に装着された前記ヘアスタイリング要素のそれぞれは、他のヘアスタイリング要素のそれぞれから離間している、前記手持ち式ヘアスタイリングデバイス。
【００７２】
Ａ１８．前記回転可能基部に装着された前記ヘアスタイリング要素の少なくとも一部はパドル形状構成を有する、Ａ１７に記載の手持ち式ヘアスタイリングデバイス。
【００７３】
Ａ１９．前記本体は縦軸を有し、前記回転可能基部は前記本体の前記縦軸にほぼ沿って延在する直線状の構成をなして前記本体上に装着されている、Ａ１７に記載の手持ち式ヘアスタイリングデバイス。
【００７４】
Ａ２０．前記回転可能基部は、相互に実質的に平行である回転軸を有する、Ａ１７に記載の手持ち式ヘアスタイリングデバイス。
【００７５】
Ａ２１．前記本体の前記幅広側の面は、少なくとも約２インチである幅を有する、Ａ１７に記載の手持ち式ヘアスタイリングデバイス。
【００７６】
Ａ２２．前記本体は、少なくとも約３インチである長さを有する、Ａ１７に記載の手持ち式ヘアスタイリングデバイス。
【００７７】
Ａ２３．前記回転可能基部の少なくとも１つは、少なくとも約２インチの長さである径を有する、Ａ１７に記載の手持ち式ヘアスタイリングデバイス。
【００７８】
Ａ２４．髪をスタイリングする方法であって、
本体に接続されたハンドルを保持することであって、前記本体は前記本体上に複数の回転可能基部を有し、前記回転可能基部のそれぞれは、前記本体に対して回転するように前記本体上に装着されており、前記回転可能基部上に装着された複数のヘアスタイリング要素を有する、前記保持することと、
前記ハンドルを移動させて、前記ヘアスタイリング要素を人の髪の内部に設置することと、
前記回転可能基部に接続されるように機能する駆動システムを選択的にアクティブ化し、前記本体に対して前記回転可能基部を回転駆動し、ひいては、前記ヘアスタイリング要素の少なくとも一部が前記人の髪に接触した状態で、前記回転可能基部と前記回転可能基部上の前記ヘアスタイリング要素とを回転させることと、
を含む、前記方法。
【００７９】
Ａ２５．前記ヘアスタイリング要素の少なくとも一部が前記人の髪に接触した状態で、前記回転可能基部と前記回転可能基部上の前記ヘアスタイリング要素とを回転させることは、前記人の頭部上の髪のセットから髪のねじれ房を形成することを含む、Ａ２４に記載の方法。
【００８０】
Ａ２６．らせん状の曲がりを前記髪のセットの少なくとも一部に付与するように選択された期間中に、前記セット内の前記髪を前記ねじれ房に保持することをさらに含む、Ａ２５に記載の方法。
【００８１】
Ａ２７．前記ヘアスタイリング要素の少なくとも一部が前記人の髪に接触した状態で、前記回転可能基部と前記回転可能基部上の前記ヘアスタイリング要素とを回転させることは、らせん状の曲がりを前記人の頭部上の前記髪の少なくとも一部に付与することを含む、Ａ２４に記載の方法。
【００８２】
Ａ２８．前記髪に適用される前記らせん状の曲がりは、前記回転可能基部の少なくとも１つの回転軸に実質的に平行である中心軸を有する、Ａ２７に記載の方法。
【００８３】
Ａ２９．前記ヘアスタイリング要素の少なくとも一部が前記人の髪に接触した状態で、前記回転可能基部と前記回転可能基部上の前記ヘアスタイリング要素とを回転させることは、前記回転可能基部の第１の回転可能基部を使用して前記人の頭部上の髪の第１のセットから第１の髪のねじれ房を形成する一方で、前記回転可能基部の第２の回転可能基部を使用して前記人の頭部上の髪の第２のセットから第２の髪のねじれ房を形成することを含む、Ａ２４に記載の方法。
【００８４】
本発明の要素またはそれらの好ましい実施形態（複数可）を紹介するとき、冠詞「ａ」、「ａｎ」、「ｔｈｅ」、及び「ｓａｉｄ」は、１つ以上の要素があることを意味することが意図される。用語「ｃｏｍｐｒｉｓｉｎｇ（備える）」、「ｉｎｃｌｕｄｉｎｇ（含む）」、及び「ｈａｖｉｎｇ（有する）」は包含的であることが意図され、列挙された要素以外の追加の要素があり得ることを意味する。
【００８５】
本発明の範囲から逸脱することなく、上記の装置、システム、及び方法において種々の変更がされるとき、上記の説明に含有され、かつ付随の図面に示される全ての内容について、例示として解釈するべきで、限定的な意味で解釈するべきではないことが意図される。
【図１】
2020522283.tif 000003
【図２】
2020522283.tif 000004
【図３】
2020522283.tif 000005
【図４】
2020522283.tif 000006
【図５】
2020522283.tif 000007
【図６】
2020522283.tif 000008
【図７】
2020522283.tif 000009
【図８】
2020522283.tif 000010
【図９】
2020522283.tif 000011
【図１０】
2020522283.tif 000012
【図１１】
2020522283.tif 000013
【図１２】
2020522283.tif 000014
【図１３】
2020522283.tif 000015
【図１４】
2020522283.tif 000016
【図１５】
2020522283.tif 000017
【図１６】
2020522283.tif 000018
【図１７】
2020522283.tif 000019
【図１７Ａ】
2020522283.tif 000020
【図１８】
2020522283.tif 000021
【図１９】
2020522283.tif 000022
【図２０】
2020522283.tif 000023
【図２１】
2020522283.tif 000024
【図２２】
2020522283.tif 000025
【図２３】
2020522283.tif 000026
【図２４】
2020522283.tif 000027
【図２５】
2020522283.tif 000028
【図２６】
2020522283.tif 000029
【図２７】
2020522283.tif 000030
【図２８】
2020522283.tif 000031
【図２９】
2020522283.tif 000032
【図３０】
2020522283.tif 000033
【図３１】
2020522283.tif 000034
【図３２】
2020522283.tif 000035
【図３３】
2020522283.tif 000036
【図３４】
2020522283.tif 000037
【図３５】
2020522283.tif 000038
【国際調査報告】
2020522283.tif 000039
2020522283.tif 000040
2020522283.tif 000041